(57)【要約】【課題】箔の上に箔上オブジェクトを印刷する際に、箔が施された部分に箔押し用トナーが見える箇所が発生しても、その上に印刷されるべき箔上オブジェクトの色を所望の色に再現する色調整装置、画像形成装置およびプログラムを提供する。【解決手段】画像形成装置１０は、箔領域内で、箔押しが行われた後に箔が付着していない箔非付着領域に関する箔非付着領域データを受信する。そして、画像形成装置１０は、箔領域の面積に対する箔非付着領域の面積の割合と、箔非付着領域の色と、箔の色と、箔押し後に箔領域に印刷されるべき箔上オブジェクトの色データに基づいて、箔非付着領域による箔上オブジェクトの色への影響度を算出し、この影響度に基づいて、箔上オブジェクトの色データを調整する。【選択図】図６
2019003106.tif 000002
【特許請求の範囲】
【請求項１】
箔押し用トナーを使って箔押し用オブジェクトが記録媒体上に印刷された領域であって、前記箔押し用オブジェクトの印刷後に箔押しにより箔が施されるべき領域である箔領域内で、前記記録媒体に前記箔押しが行われた後に箔が付着していない箔非付着領域に関する箔非付着領域データを取得する箔非付着領域データ取得部と、
前記箔領域の面積と、前記箔非付着領域データ取得部によって取得された前記箔非付着領域データから導出された前記箔非付着領域の面積に基づいて、前記箔領域の面積に対する前記箔非付着領域の面積の割合を算出する箔非付着領域割合算出部と、
前記箔非付着領域割合算出部によって算出された前記割合と、前記箔非付着領域の色と、前記箔の色と、前記箔押し後に前記箔領域に印刷されるべき箔上オブジェクトの色データに基づいて、前記箔非付着領域による前記箔上オブジェクトの色への影響度を算出する第１影響度算出部と、
前記第１影響度算出部によって算出された影響度に基づいて、前記箔上オブジェクトの色データを調整する箔上オブジェクト色調整部と、
を有する
ことを特徴とする箔上オブジェクト色調整装置。
【請求項２】
箔押し用トナーを使って箔押し用オブジェクトが記録媒体上に印刷された領域であって、前記箔押し用オブジェクトの印刷後に箔押しにより箔が施されるべき領域である箔領域内で、前記記録媒体に前記箔押しが行われた後に箔が付着していない箔非付着領域の面積の前記箔領域の面積に対する割合を含む箔非付着領域データを取得する箔非付着領域データ取得部と、
前記箔非付着領域データ取得部によって取得された前記割合と、前記箔非付着領域の色と、前記箔の色と、前記箔押し後に前記箔領域に印刷されるべき箔上オブジェクトの色データに基づいて、前記箔非付着領域による前記箔上オブジェクトの色への影響度を算出する第１影響度算出部と、
前記第１影響度算出部によって算出された影響度に基づいて、前記箔上オブジェクトの色データを調整する箔上オブジェクト色調整部と、
を有する
ことを特徴とする箔上オブジェクト色調整装置。
【請求項３】
前記割合は、前記箔領域が前記記録媒体内に複数存在する場合、各箔領域の面積に対する当該箔領域内の前記箔非付着領域の面積の割合を含み、
前記第１影響度算出部は、各箔領域の面積に対する当該箔領域内の前記箔非付着領域の面積の割合と、当該箔領域内の前記箔非付着領域の色と、当該箔領域で使用された箔の色と、前記箔押し後に当該箔領域に印刷されるべき箔上オブジェクトの色データに基づいて、各箔領域における前記影響度を算出し、
前記箔上オブジェクト色調整部は、前記第１影響度算出部によって算出された各箔領域における前記影響度に基づいて、各箔領域の上に印刷されるべき箔上オブジェクトの色データを調整する
ことを特徴とする請求項１または２に記載の箔上オブジェクト色調整装置。
【請求項４】
前記割合は、前記箔領域を分割することにより得られる各箔分割領域の面積に対する当該箔分割領域内の前記箔非付着領域の面積の割合を含み、
前記第１影響度算出部は、所定数の箔分割領域において、箔分割領域の面積に対する当該箔分割領域内の前記箔非付着領域の面積の割合が所定値以上である場合には、前記記録媒体をヤレとして認識する
ことを特徴とする請求項１乃至３のいずれか１つに記載の箔上オブジェクト色調整装置。
【請求項５】
さらに、前記箔領域の周辺に印刷されるべき通常オブジェクトが存在するか否かを判定する通常オブジェクト判定部と、
前記通常オブジェクト判定部によって、前記箔領域の周辺に印刷されるべき前記通常オブジェクトが存在することが判定された場合、当該箔領域の面積に対する当該箔領域内の前記箔非付着領域の面積の割合と、当該箔領域内の前記箔非付着領域の色と、当該箔領域で使用された箔の色と、前記箔押し後に当該箔領域に印刷されるべき箔上オブジェクトの色データと、当該箔領域の周辺に印刷されるべき前記通常オブジェクトに基づいて、前記箔非付着領域および前記通常オブジェクトによる前記箔上オブジェクトの色への影響度を算出する第２影響度算出部と、
前記第２影響度算出部によって算出された影響度に基づいて、当該箔領域の周辺に印刷されるべき前記通常オブジェクトの色データを調整する通常オブジェクト色調整部と、
を有する
ことを特徴とする請求項１乃至４のいずれか１つに記載の箔上オブジェクト色調整装置。
【請求項６】
前記箔上オブジェクト色調整部は、前記第２影響度算出部によって算出された影響度に基づいて、前記箔上オブジェクトの色データを調整する
ことを特徴とする請求項５に記載の箔上オブジェクト色調整装置。
【請求項７】
請求項１乃至６のいずれか１つに記載の箔上オブジェクト色調整装置と、
前記箔上オブジェクトを前記箔領域に印刷する印刷部と、
を有する
ことを特徴とする画像形成装置。
【請求項８】
情報処理装置に実行され、該情報処理装置を、請求項１乃至６のいずれか１つに記載の箔上オブジェクト色調整装置として機能させるプログラム。
【発明の詳細な説明】
【技術分野】
【０００１】
本発明は、箔の上に印刷されるべきオブジェクトの色を調整する箔上オブジェクト色調整装置、画像形成装置およびプログラムに関する。
【背景技術】
【０００２】
従来、箔押し機等で用紙の上に箔が施された後、その箔の上にオブジェクト（以後、箔上オブジェクトという）を印刷することが行われている。一般的に、箔押しは次のような手順で行われる。（１）箔押し時に糊として利用されるトナー（以後、箔押し用トナーともいう）を使用して、箔押し用オブジェクトを用紙に印刷する。（２）箔押し機で、用紙を加熱することにより上記印刷に使用された箔押し用トナーを融解させるとともに、箔を用紙に圧着させる。（３）用紙に圧着されていない部分の箔をローラ等で巻き取ることにより、箔押し用トナーを使用して印刷された部分に箔が施される。
【０００３】
このような手順で箔押しが行われる場合、用紙の平滑性によって箔の付着率が異なり、箔が施された部分に箔押し用トナーが見える箇所が発生することがある。そして、箔上オブジェクトを箔の上にカラー印刷する場合、箔押し用トナーが見える箇所では、箔押し用トナーの色によって箔上オブジェクトの色の見え方が変化してしまう。そこで、箔押し時に箔押し用トナーが見える箇所が発生した場合でも、箔押し用トナーが見える箇所の上に印刷されるべき箔上オブジェクトの色を所望の色に再現することが求められる。
【０００４】
例えば、特許文献１には、次のような金属光沢色を再現する方法が開示されている。メタリック色材の上に通常のカラートナーを重ねる場合、このカラートナーの量が多すぎるとメタリック色材が有する光沢感が低下するので、当該カラートナーの量を制限することによりメタリック色材の金属光沢色を再現する。
【先行技術文献】
【特許文献】
【０００５】
【特許文献１】特開２０１４−３５４１９号公報
【発明の概要】
【発明が解決しようとする課題】
【０００６】
特許文献１には、メタリック色材の金属光沢色を再現することが開示されているが、箔の上に印刷されるべき箔上オブジェクトの色を再現することは開示されていない。特に、特許文献１では、箔が施された部分に箔押し用トナーが見える箇所が発生した場合については全く考慮されていない。
【０００７】
本発明は、上記の問題を解決しようとするものであり、箔の上に箔上オブジェクトを印刷する際に、箔が施された部分に箔押し用トナーが見える箇所が発生しても、その上に印刷されるべき箔上オブジェクトの色を所望の色に再現する箔上オブジェクト色調整装置、画像形成装置およびプログラムを提供することを目的としている。
【課題を解決するための手段】
【０００８】
かかる目的を達成するための本発明の要旨とするところは、次の各項の発明に存する。
【０００９】
［１］箔押し用トナーを使って箔押し用オブジェクトが記録媒体上に印刷された領域であって、前記箔押し用オブジェクトの印刷後に箔押しにより箔が施されるべき領域である箔領域内で、前記記録媒体に前記箔押しが行われた後に箔が付着していない箔非付着領域に関する箔非付着領域データを取得する箔非付着領域データ取得部と、
前記箔領域の面積と、前記箔非付着領域データ取得部によって取得された前記箔非付着領域データから導出された前記箔非付着領域の面積に基づいて、前記箔領域の面積に対する前記箔非付着領域の面積の割合を算出する箔非付着領域割合算出部と、
前記箔非付着領域割合算出部によって算出された前記割合と、前記箔非付着領域の色と、前記箔の色と、前記箔押し後に前記箔領域に印刷されるべき箔上オブジェクトの色データに基づいて、前記箔非付着領域による前記箔上オブジェクトの色への影響度を算出する第１影響度算出部と、
前記第１影響度算出部によって算出された影響度に基づいて、前記箔上オブジェクトの色データを調整する箔上オブジェクト色調整部と、
を有する
ことを特徴とする箔上オブジェクト色調整装置。
【００１０】
上記発明では、箔領域内で、記録媒体に箔押しが行われた後に箔が付着していない箔非付着領域に関する箔非付着領域データに基づいて、箔領域の面積に対する箔非付着領域の面積の割合が算出される。そして、この割合と、箔非付着領域の色と、箔の色と、箔押し後に箔領域に印刷されるべき箔上オブジェクトの色データに基づいて、箔非付着領域による箔上オブジェクトの色への影響度が算出される。この影響度に基づいて、箔上オブジェクトの色データが調整される。
【００１１】
［２］箔押し用トナーを使って箔押し用オブジェクトが記録媒体上に印刷された領域であって、前記箔押し用オブジェクトの印刷後に箔押しにより箔が施されるべき領域である箔領域内で、前記記録媒体に前記箔押しが行われた後に箔が付着していない箔非付着領域の面積の前記箔領域の面積に対する割合を含む箔非付着領域データを取得する箔非付着領域データ取得部と、
前記箔非付着領域データ取得部によって取得された前記割合と、前記箔非付着領域の色と、前記箔の色と、前記箔押し後に前記箔領域に印刷されるべき箔上オブジェクトの色データに基づいて、前記箔非付着領域による前記箔上オブジェクトの色への影響度を算出する第１影響度算出部と、
前記第１影響度算出部によって算出された影響度に基づいて、前記箔上オブジェクトの色データを調整する箔上オブジェクト色調整部と、
を有する
ことを特徴とする箔上オブジェクト色調整装置。
【００１２】
上記発明では、箔領域の面積に対する箔非付着領域の面積の割合が取得される。そして、この割合と、箔非付着領域の色と、箔の色と、箔押し後に箔領域に印刷されるべき箔上オブジェクトの色データに基づいて、箔非付着領域による箔上オブジェクトの色への影響度が算出される。この影響度に基づいて、箔上オブジェクトの色データが調整される。
【００１３】
［３］前記割合は、前記箔領域が前記記録媒体内に複数存在する場合、各箔領域の面積に対する当該箔領域内の前記箔非付着領域の面積の割合を含み、
前記第１影響度算出部は、各箔領域の面積に対する当該箔領域内の前記箔非付着領域の面積の割合と、当該箔領域内の前記箔非付着領域の色と、当該箔領域で使用された箔の色と、前記箔押し後に当該箔領域に印刷されるべき箔上オブジェクトの色データに基づいて、各箔領域における前記影響度を算出し、
前記箔上オブジェクト色調整部は、前記第１影響度算出部によって算出された各箔領域における前記影響度に基づいて、各箔領域の上に印刷されるべき箔上オブジェクトの色データを調整する
ことを特徴とする［１］または［２］に記載の箔上オブジェクト色調整装置。
【００１４】
上記発明では、箔領域が記録媒体内に複数存在する場合、箔領域ごとに、箔非付着領域による箔上オブジェクトの色への影響度が算出される。そして、各箔領域の上に印刷されるべき箔上オブジェクトの色データが調整される。
【００１５】
［４］前記割合は、前記箔領域を分割することにより得られる各箔分割領域の面積に対する当該箔分割領域内の前記箔非付着領域の面積の割合を含み、
前記第１影響度算出部は、所定数の箔分割領域において、箔分割領域の面積に対する当該箔分割領域内の前記箔非付着領域の面積の割合が所定値以上である場合には、前記記録媒体をヤレとして認識する
ことを特徴とする［１］乃至［３］のいずれか１つに記載の箔上オブジェクト色調整装置。
【００１６】
上記発明では、所定数の箔分割領域において、箔分割領域の面積に対する当該箔分割領域内の箔非付着領域の面積の割合が所定値以上である場合には、その記録媒体がヤレとして認識される。
【００１７】
［５］さらに、前記箔領域の周辺に印刷されるべき通常オブジェクトが存在するか否かを判定する通常オブジェクト判定部と、
前記通常オブジェクト判定部によって、前記箔領域の周辺に印刷されるべき前記通常オブジェクトが存在することが判定された場合、当該箔領域の面積に対する当該箔領域内の前記箔非付着領域の面積の割合と、当該箔領域内の前記箔非付着領域の色と、当該箔領域で使用された箔の色と、前記箔押し後に当該箔領域に印刷されるべき箔上オブジェクトの色データと、当該箔領域の周辺に印刷されるべき前記通常オブジェクトに基づいて、前記箔非付着領域および前記通常オブジェクトによる前記箔上オブジェクトの色への影響度を算出する第２影響度算出部と、
前記第２影響度算出部によって算出された影響度に基づいて、当該箔領域の周辺に印刷されるべき前記通常オブジェクトの色データを調整する通常オブジェクト色調整部と、
を有する
ことを特徴とする［１］乃至［４］のいずれか１つに記載の箔上オブジェクト色調整装置。
【００１８】
上記発明では、箔領域の周辺に印刷されるべき通常オブジェクトが存在する場合、当該箔領域の面積に対する当該箔領域内の箔非付着領域の面積の割合と、当該箔領域内の箔非付着領域の色と、当該箔領域で使用された箔の色と、箔押し後に当該箔領域に印刷されるべき箔上オブジェクトの色データと、当該箔領域の周辺に印刷されるべき前記通常オブジェクトに基づいて、箔非付着領域および通常オブジェクトによる箔上オブジェクトの色への影響度が算出される。そして、この影響度に基づいて、当該箔領域の周辺に印刷されるべき通常オブジェクトの色データが調整される。
【００１９】
［６］前記箔上オブジェクト色調整部は、前記第２影響度算出部によって算出された影響度に基づいて、前記箔上オブジェクトの色データを調整する
ことを特徴とする［５］に記載の箔上オブジェクト色調整装置。
【００２０】
上記発明では、箔非付着領域および通常オブジェクトによる箔上オブジェクトの色への影響度に基づいて、さらに箔上オブジェクトの色データが調整される。
【００２１】
［７］［１］乃至［６］のいずれか１つに記載の箔上オブジェクト色調整装置と、
前記箔上オブジェクトを前記箔領域に印刷する印刷部と、
を有する
ことを特徴とする画像形成装置。
【００２２】
［８］情報処理装置に実行され、該情報処理装置を、［１］乃至［６］のいずれか１つに記載の箔上オブジェクト色調整装置として機能させるプログラム。
【発明の効果】
【００２３】
本発明に係る箔上オブジェクト色調整装置、画像形成装置およびプログラムによれば、箔の上に箔上オブジェクトを印刷する際に、箔が施された部分に箔押し用トナーが見える箇所が発生しても、その上に印刷されるべき箔上オブジェクトの色を所望の色に再現することができる。
【図面の簡単な説明】
【００２４】
【図１】本発明の実施の形態に係る画像形成装置を含む印刷システムの一例を示す概略図である。
【図２】画像形成装置の概略構成を示すブロック図である。
【図３】画像読取装置の概略構成を示すブロック図である。
【図４】本発明の実施の形態に係る画像形成装置を含む印刷システムの他の例を示す概略図である。
【図５】本発明の実施の形態に係る画像形成装置を含む印刷システムの他の例を示す概略図である。
【図６】印刷システムにおいて、箔領域に箔上オブジェクトを印刷する方法を示すフローチャートである。
【図７】箔押し後に箔領域に箔上オブジェクトが印刷された状態を概略的に示す説明図である。
【図８】印刷システムにおいて、箔領域に箔上オブジェクトを印刷する方法および箔押し後の用紙をヤレとして認識する方法を示すフローチャートである。
【図９】図８のフローチャートの続きを示すフローチャートである。
【図１０】図８のフローチャートの続きを示すフローチャートである。
【図１１】印刷システムにおいて、箔上オブジェクトおよび通常オブジェクトを印刷する方法を示すフローチャートである。
【図１２】図１１のフローチャートの続きを示すフローチャートである。
【発明を実施するための形態】
【００２５】
以下、図面に基づき本発明の実施の形態を説明する。
【００２６】
図１は、本発明の実施の形態に係る画像形成装置１０Ａを含む印刷システム５Ａの概略図である。印刷システム５Ａは、画像形成装置１０Ａと、箔押し機５０Ａと、画像読取装置６０Ａを有しており、それらがインライン接続されている。
【００２７】
画像形成装置１０Ａは、クライアントＰＣ(Personal Computer)等の外部装置から送信された印刷ジョブに基づいて、箔押し用トナーを使って箔押し用オブジェクトを用紙（記録媒体）に印刷する。
【００２８】
さらに、画像形成装置１０Ａは、上記印刷ジョブに基づいて、箔押し機５０Ａによって箔が施された用紙に印刷を行う。具体的には、画像形成装置１０Ａは、箔押し用トナーを使って箔押し用オブジェクトが用紙上に印刷された領域であって、箔押し用オブジェクトの印刷後に箔押しにより箔が施されるべき領域（以下、箔領域ともいう）に箔押し機５０Ａによって箔押しが行われた後に、上記印刷ジョブに基づいて、当該箔領域に箔上オブジェクトを印刷する。また、画像形成装置１０Ａは、箔押し機５０Ａによって箔押しが行われた後に、上記印刷ジョブに基づいて、箔領域以外の領域にオブジェクト（以下、通常オブジェクトともいう）の印刷を行う。
【００２９】
箔押し機５０Ａは、画像形成装置１０Ａにおいて箔押し用オブジェクトが印刷された用紙に箔押しを施す。具体的には、箔押し機５０Ａは、箔押し用オブジェクトの印刷に使用されている箔押し用トナーを加熱し、融解した箔押し用トナーを糊として使用することにより、箔を用紙に圧着させる。これにより、箔押し用オブジェクトが印刷された箇所に箔が施される。
【００３０】
画像読取装置６０Ａは、箔押し機５０Ａによって箔領域に箔押しが行われた後に、箔が施された用紙を光学的に読み取ることにより、当該箔領域内で箔が付着していない箔非付着領域を特定する。そして、画像読取装置６０Ａは、上記箔非付着領域に関する箔非付着領域データを作成し、その箔非付着領域データを画像形成装置１０Ａに送信する。
【００３１】
この印刷システム５Ａでは、箔が施された文書を作成する場合、まず、画像形成装置１０Ａは、箔が施される部分に箔押し用オブジェクトを印刷する。箔押し用オブジェクトの印刷については、Ｋ（ブラック）版が使用される。
【００３２】
箔押し用オブジェクトが印刷された用紙が箔押し機５０Ａに搬送されると、箔押し機５０Ａは、用紙を加熱して、印刷された箔押し用オブジェクトに使用される箔押し用トナーを融解させるとともに、箔を用紙に圧着させる。その後、用紙に圧着されていない部分の箔をローラ等で巻き取ることにより、箔押し用トナーを使用して印刷された部分に箔が施される。
【００３３】
箔が施された用紙が画像読取装置６０Ａに搬送されると、画像読取装置６０Ａは、当該用紙を光学的に読み取ることにより、箔領域内で箔が付着していない箔非付着領域を特定する。そして、画像読取装置６０Ａは、上記箔非付着領域に関する箔非付着領域データを作成し、その箔非付着領域データを画像形成装置１０Ａに送信する。
【００３４】
画像読取装置６０Ａによって光学的に読み取られた用紙が再び画像形成装置１０Ａに搬送されると、画像形成装置１０Ａは、画像読取装置６０Ａから受信した箔非付着領域データ等に基づいて、箔領域に印刷されるべき箔上オブジェクトの色データを調整し、箔領域に箔上オブジェクトを印刷する。箔上オブジェクトの色データの調整については後述する。また同時に、画像形成装置１０Ａは、箔領域以外の領域に通常オブジェクトを印刷する。これにより、箔が施された文書が作成される。
【００３５】
次に、画像形成装置１０Ａの構成について説明する。
【００３６】
図２は、画像形成装置１０Ａの概略構成を示すブロック図である。
【００３７】
画像形成装置１０Ａは、当該画像形成装置１０Ａ全体の動作を制御するＣＰＵ(Central Processing Unit)１１を有する。マイクロプロセッサを含むＣＰＵ１１には、バスを通じて、ＲＯＭ(Read Only Memory)１２と、ＲＡＭ(Random Access Memory)１３と、不揮発メモリ１４と、ハードディスク装置１５と、印刷部１６と、通信部１７と、操作パネル１８等が接続されている。
【００３８】
ＣＰＵ１１は、ＯＳ(Operating System)プログラムをベースとし、その上で、ミドルウェアやアプリケーションプログラムなどを実行する。ＣＰＵ１１は、必要に応じて、印刷システム５Ａ全体の動作を制御する。また、ＣＰＵ１１は、箔上オブジェクト色調整装置の機能として、後述する箔非付着領域割合算出部３１、第１影響度算出部３２、箔上オブジェクト色調整部３３、通常オブジェクト判定部３４、第２影響度算出部３５、通常オブジェクト色調整部３６の機能を果たす。
【００３９】
ＲＯＭ１２には、各種のプログラムが格納されており、これらのプログラムに従ってＣＰＵ１１が各種処理を実行することで画像形成装置１０Ａの各機能が実現される。また、ＲＯＭ１２には、画像形成装置１０Ａの一連の制御をＣＰＵ１１が実行するためのプログラムが格納されている。
【００４０】
ＲＡＭ１３は、ＣＰＵ１１がプログラムに基づいて処理を実行する際に各種のデータを一時的に格納するワークメモリや画像データを格納する画像メモリなどとして使用される。
【００４１】
不揮発メモリ１４は、電源をオフにしても記憶内容が破壊されないメモリ（フラッシュメモリ）であり、各種設定情報の保存などに使用される。ハードディスク装置１５は、大容量の不揮発の記憶装置であり、ＯＳプログラムや各種アプリケーションプログラム、印刷データや画像データ、ジョブに係る情報履歴などが保存される。
【００４２】
印刷部１６は、画像データに応じた画像を用紙に印刷する機能を果たす。ここでは、印刷部１６は、用紙の搬送装置と、感光体ドラムと、帯電装置と、レーザーユニットと、現像装置と、転写分離装置と、クリーニング装置と、定着部とを有し、電子写真プロセスによって画像形成を行う、所謂、レーザープリンタとして構成されている。
【００４３】
通信部１７は、ＬＡＮ(Local Area Network)などのネットワークを通じてクライアントＰＣやその他の外部装置との間でデータを通信する機能を果たす。また、通信部１７は、画像読取装置６０Ａから箔非付着領域データを取得する箔非付着領域データ取得部としての機能を果たす。
【００４４】
操作パネル１８は、表示部２１と、操作部２２とを備えている。このうち操作部２２は、スタートボタンなどのスイッチ群とタッチパネルを備えている。表示部２１は、液晶ディスプレイなどで構成され、各種の操作画面、設定画面などを表示する。
【００４５】
箔非付着領域割合算出部３１は、画像読取装置６０Ａから取得した箔非付着領域データに箔非付着領域の面積を示すデータが含まれているとき、箔領域の面積と上記箔非付着領域の面積に基づいて、箔領域の面積に対する箔非付着領域の面積の割合を算出する。
【００４６】
第１影響度算出部３２は、箔非付着領域割合算出部３１によって算出された割合または画像読取装置６０Ａから受信した箔非付着領域データに含まれる箔領域の面積に対する箔非付着領域の面積の割合を示すデータと、箔領域内の箔非付着領域の色と、箔の色と、箔押し後に箔領域に印刷されるべき箔上オブジェクトの色データに基づいて、箔非付着領域内で露出する箔押し用トナーによる箔上オブジェクトの色への影響度を算出する。
【００４７】
箔上オブジェクト色調整部３３は、第１影響度算出部３２によって算出された影響度に基づいて、箔上オブジェクトの色データを調整する。
【００４８】
通常オブジェクト判定部３４は、外部装置等から受信した印刷ジョブ等に基づいて、箔領域の周辺（例えば、当該箔領域の外縁から５画素以内）に印刷されるべき通常オブジェクトが存在するか否かを判定する。
【００４９】
第２影響度算出部３５は、通常オブジェクト判定部３４によって、箔領域の周辺に印刷されるべき通常オブジェクトが存在することが判定された場合、当該箔領域の面積に対する当該箔領域内の箔非付着領域の面積の割合と、当該箔領域内の箔非付着領域の色と、当該箔領域で使用された箔の色と、箔押し後に当該箔領域に印刷されるべき箔上オブジェクトの色データと、当該箔領域の周辺に印刷されるべき通常オブジェクトに基づいて、箔非付着領域および通常オブジェクトによる当該箔上オブジェクトの色への影響度を算出する。
【００５０】
通常オブジェクト色調整部３６は、第２影響度算出部３５によって算出された影響度に基づいて、当該箔領域の周辺に印刷されるべき通常オブジェクトの色データを調整する。
【００５１】
図３は、画像読取装置６０Ａの概略構成を示すブロック図である。
【００５２】
画像読取装置６０Ａは、当該画像読取装置６０Ａ全体の動作を制御するＣＰＵ６１を有する。マイクロプロセッサを含むＣＰＵ６１には、バスを通じて、ＲＯＭ６２と、ＲＡＭ６３と、不揮発メモリ６４と、ハードディスク装置６５と、読取部６６と、通信部６７と、操作パネル６８等が接続されている。
【００５３】
ＣＰＵ６１は、ＯＳプログラムをベースとし、その上で、ミドルウェアやアプリケーションプログラムなどを実行する。また、ＣＰＵ６１は、後述する箔非付着領域面積算出部８１、箔非付着領域割合算出部８２、箔非付着領域データ作成部８３の機能を果たす。
【００５４】
ＲＯＭ６２には、各種のプログラムが格納されており、これらのプログラムに従ってＣＰＵ６１が各種処理を実行することで画像読取装置６０Ａの各機能が実現される。また、ＲＯＭ６２には、画像読取装置６０Ａの一連の制御をＣＰＵ６１が実行するためのプログラムが格納されている。
【００５５】
ＲＡＭ６３は、ＣＰＵ６１がプログラムに基づいて処理を実行する際に各種のデータを一時的に格納するワークメモリなどとして使用される。
【００５６】
不揮発メモリ６４は、電源をオフにしても記憶内容が破壊されないメモリ（フラッシュメモリ）であり、各種設定情報の保存などに使用される。ハードディスク装置６５は、大容量の不揮発の記憶装置であり、ＯＳプログラムや各種アプリケーションプログラム、印刷データや画像データなどが保存される。
【００５７】
読取部６６は、箔が施された用紙を光学的に読み取って画像データを取得する機能を果たす。読取部６６は、例えば、用紙に光を照射する光源と、その反射光を受けて用紙を幅方向に１ライン分読み取るラインイメージセンサと、ライン単位の読取位置を用紙の長さ方向に順次移動させる移動ユニットと、用紙からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５８】
通信部６７は、ＬＡＮなどのネットワークを通じてクライアントＰＣやその他の外部装置との間でデータを通信する機能を果たす。また、通信部６７は、箔非付着領域データ作成部８３によって作成された箔非付着領域データを画像形成装置１０Ａへ送信する機能を果たす。
【００５９】
操作パネル６８は、表示部７１と、操作部７２とを備えている。このうち操作部７２は、スタートボタンなどのスイッチ群とタッチパネルを備えている。表示部７１は、液晶ディスプレイなどで構成され、各種の操作画面、設定画面などを表示する。
【００６０】
箔非付着領域面積算出部８１は、箔が施された用紙を読み取ることによって取得された画像データから箔領域内の箔非付着領域を認識し、その箔非付着領域の面積（箔非付着領域が複数存在する場合には、それらの面積の合計）を算出する。箔非付着領域の面積には、用紙全体の箔非付着領域の面積と、箔領域が用紙に複数存在する場合においては各箔領域内の箔非付着領域の面積と、箔領域を分割することにより得られる各箔分割領域（例えば、５画素×５画素の領域）における箔非付着領域の面積などが含まれる。
【００６１】
箔非付着領域割合算出部８２は、箔領域の面積と、箔非付着領域面積算出部８１によって算出された非付着領域の面積に基づいて、箔領域の面積に対する箔非付着領域の面積の割合を算出する。箔領域の面積に対する箔非付着領域の面積の割合には、用紙全体の箔領域の面積に対する用紙全体の箔非付着領域の面積の割合と、箔領域が用紙に複数存在する場合においては、各箔領域の面積に対する当該箔領域内の箔非付着領域の面積の割合と、各箔分割領域の面積に対する当該箔分割領域内の箔非付着領域の面積の割合などが含まれる。
【００６２】
箔非付着領域データ作成部８３は、箔非付着領域面積算出部８１によって算出された非付着領域の面積または箔非付着領域割合算出部８２によって算出された上記割合に基づいて、箔非付着領域に関する箔非付着領域データを作成する。箔非付着領域に関する箔非付着領域データには、上記記載の箔非付着領域の面積を示すデータまたは上記記載の箔非付着領域の面積の箔領域の面積に対する割合を示すデータが含まれる。
【００６３】
図４は、画像形成装置１０Ｂおよび１０Ｃを含む印刷システム５Ｂの概略図を示す。この印刷システム５Ｂは、画像形成装置１０Ｂと、箔押し機５０Ｂと、画像読取装置６０Ｂ、画像形成装置１０Ｃとを有している。画像形成装置１０Ｂと、箔押し機５０Ｂと、画像読取装置６０Ｂと、画像形成装置１０Ｃは、この順番で直列タンデム方式に接続されている。
【００６４】
この印刷システム５Ｂでは、箔が施された文書を作成する場合、まず、画像形成装置１０Ｂは、箔が施される部分に箔押し用オブジェクトを印刷する。
【００６５】
箔押し用オブジェクトが印刷された用紙が箔押し機５０Ｂに搬送されると、箔押し機５０Ｂは、箔押し機５０Ａと同様に、箔押し用トナーを使用して印刷された部分に箔を施す。
【００６６】
箔が施された用紙が画像読取装置６０Ｂに搬送されると、画像読取装置６０Ｂは、画像読取装置６０Ａと同様に、当該用紙を光学的に読み取ることにより、箔領域内で箔が付着していない箔非付着領域を特定する。そして、画像読取装置６０Ｂは、上記箔非付着領域に関する箔非付着領域データを作成し、その箔非付着領域データを画像形成装置１０Ｃに送信する。
【００６７】
画像読取装置６０Ｂによって光学的に読み取られた用紙が画像形成装置１０Ｃに搬送されると、画像形成装置１０Ｃは、画像読取装置６０Ｂから受信した非付着領域データ等に基づいて、箔領域に印刷されるべき箔上オブジェクトの色データを調整し、箔領域に箔上オブジェクトを印刷する。また同時に、画像形成装置１０Ｃは、箔領域以外の領域に通常オブジェクトを印刷する。これにより、箔が施された文書が作成される。
【００６８】
この印刷システム５Ｂにおいて、箔押し機５０Ｂおよび画像読取装置６０Ｂは、印刷システム５Ａの箔押し機５０Ａおよび画像形成読取６０Ａとそれぞれ同様な構成を有する。また、画像形成装置１０Ｂおよび画像形成装置１０Ｃは、印刷システム５Ａの画像形成装置１０Ａと同様な構成を有する。ただし、画像形成装置１０Ｂは、箔押し用オブジェクトを用紙に印刷するものであるので、画像形成装置１０ＢのＣＰＵ１１は、箔非付着領域割合算出部３１、第１影響度算出部３２、箔上オブジェクト色調整部３３、通常オブジェクト判定部３４、第２影響度算出部３５、通常オブジェクト色調整部３６の機能を有する必要はない。
【００６９】
図５は、画像形成装置１０Ｄおよび１０Ｅを含む印刷システム５Ｃの概略図を示す。この印刷システム５Ｃは、画像形成装置１０Ｄと、箔押し機５０Ｃと、画像読取装置６０Ｃと、画像形成装置１０Ｅとを有している。画像形成装置１０Ｄと、箔押し機５０Ｃと、画像読取装置６０Ｃと、画像形成装置１０Ｅは、同一のネットワークに接続されているが、画像形成装置１０Ｄと、箔押し機５０Ｃと、画像読取装置６０Ｃと、画像形成装置１０Ｅとは、それぞれ物理的に接続されていない。
【００７０】
この印刷システム５Ｃでは、箔が施された文書を作成する場合、まず、画像形成装置１０Ｄは、箔が施される部分に箔押し用オブジェクトを印刷する。
【００７１】
箔押し用オブジェクトが印刷された用紙が画像形成装置１０Ｄから出力されると、作業者は、出力された用紙を手作業で箔押し機５０Ｃに給紙する。箔押し機５０Ｃは、箔押し機５０Ａと同様に、箔押し用トナーを使用して印刷された部分に箔を施す。
【００７２】
その後、作業者は、箔押し機５０Ｃによって箔が施された用紙を手作業で画像読取装置６０Ｃに給紙する。画像読取装置６０Ｃは、画像読取装置６０Ａと同様に、当該用紙を光学的に読み取ることにより、箔領域内で箔が付着していない箔非付着領域を特定する。そして、画像読取装置６０Ｃは、上記箔非付着領域に関する箔非付着領域データを作成し、その箔非付着領域データを画像形成装置１０Ｅに送信する。
【００７３】
その後、作業者は、画像読取装置６０Ｃによって光学的に読み取られた用紙を手作業で画像形成装置１０Ｅに給紙する。画像形成装置１０Ｅは、画像読取装置６０Ｃから受信した非付着領域データ等に基づいて、箔領域に印刷されるべき箔上オブジェクトの色データを調整し、箔領域に箔上オブジェクトを印刷する。また同時に、画像形成装置１０Ｅは、箔領域以外の領域に通常オブジェクトを印刷する。これにより、箔が施された文書が作成される。
【００７４】
この印刷システム５Ｃにおいて、箔押し機５０Ｃおよび画像読取装置６０Ｃは、印刷システム５Ａの箔押し機５０Ａおよび画像読取装置６０Ａとそれぞれ同様な構成を有する。また、画像形成装置１０Ｄおよび画像形成装置１０Ｅは、印刷システム５Ａの画像形成装置１０Ａと同様な構成を有する。ただし、画像形成装置１０Ｄは、箔押し用オブジェクトを用紙に印刷するものであるので、画像形成装置１０ＤのＣＰＵ１１は、箔非付着領域割合算出部３１、第１影響度算出部３２、箔上オブジェクト色調整部３３、通常オブジェクト判定部３４、第２影響度算出部３５、通常オブジェクト色調整部３６の機能を有する必要はない。
【００７５】
次に、印刷システム５Ａ、５Ｂ、５Ｃ（以後、これらをまとめて印刷システム５ともいう）による箔上オブジェクトの色データの調整方法について説明する。
【００７６】
図６は、印刷システム５において、箔領域に箔上オブジェクトを印刷する方法を示すフローチャートである。
【００７７】
まず、画像形成装置１０Ａ、１０Ｂまたは１０Ｄ（以後、これらをまとめて箔押し用オブジェクト印刷装置ともいう）は、印刷システム５がクライアントＰＣ等から印刷ジョブを受信すると、当該印刷ジョブに含まれる箔押し用オブジェクトデータにラスタライズ処理を行い、ラスタライズ処理によって作成されたページデータから、印刷されるべき箔押し用オブジェクトを特定する（ステップＳ００１）。
【００７８】
そして、箔押し用オブジェクト印刷装置は、ステップＳ００１で特定された箔押し用オブジェクトを用紙に印刷する（ステップＳ００２）。
【００７９】
箔押し機５０Ａ、５０Ｂまたは５０Ｃ（以後、これらをまとめて箔押し機５０ともいう）は、箔押し用オブジェクト印刷装置によって箔押し用オブジェクトが印刷された部分（箔領域）に箔押しを行う（ステップＳ００３）。
【００８０】
画像読取装置６０Ａ、６０Ｂまたは６０Ｃ（以後、これらをまとめて画像読取装置６０ともいう）は、箔押しが行われた用紙を光学的に読み取ることによって取得された画像データから、箔領域内の箔非付着領域を認識する（ステップＳ００４）。そして、画像読取装置６０は、認識された箔非付着領域の面積を算出する。
【００８１】
さらに、画像読取装置６０は、箔領域の面積と、算出された箔非付着領域の面積とに基づいて、箔領域の面積に対する箔非付着領域の面積の割合を算出し（ステップＳ００５）、算出した割合を示すデータを含む箔非付着領域データを作成する。その後、画像読取装置６０は、箔非付着領域データを画像形成装置１０Ａ、１０Ｃまたは１０Ｅ（以後、これらをまとめて箔上オブジェクト印刷装置ともいう）に送信する（ステップＳ００６）。
【００８２】
箔上オブジェクト印刷装置は、箔非付着領域データを受信するとともに、箔非付着領域の色データを取得する（ステップＳ００７）。
【００８３】
この箔非付着領域の色データの取得方法として、例えば、箔非付着領域の色は基本的に箔押し用トナーの色であるので、箔上オブジェクト印刷装置は、箔押し用オブジェクト印刷装置で使用された箔押し用トナーの色情報を箔非付着領域の色データとして取得してもよい。あるいは、画像読取装置６０において、箔押しが行われた用紙を光学的に読み取るときに現状の箔非付着領域の色データを取得し、箔上オブジェクト印刷装置は、この箔非付着領域の色データを含む箔非付着領域データを画像読取装置６０から受信してもよい。
【００８４】
箔上オブジェクト印刷装置は、画像読取装置６０から受信した箔非付着領域データに含まれる上記割合を示すデータと、箔領域内の箔非付着領域の色と、箔の色と、箔押し後に箔領域に印刷されるべき箔上オブジェクトの色データに基づいて、箔非付着領域による箔上オブジェクトの色への影響度を算出する。そして、箔上オブジェクト印刷装置は、その算出された影響度が所定の閾値以上か否かを判定する。（ステップＳ００８）。
【００８５】
図７は、箔押し後に箔領域に箔上オブジェクトが印刷された状態を概略的に示す説明図である。図７（ａ）は、箔押し後に、箔非付着領域が生じていない箔領域に箔上オブジェクトが印刷された状態を示す。図７（ｂ）は、箔押し後に、箔非付着領域が生じた箔領域に箔上オブジェクトが印刷された状態を示す。図７（ａ）および（ｂ）において、１つのマスが１画素を示している。
【００８６】
図７（ａ）では、箔押し後に、箔非付着領域が生じていない箔領域に箔上オブジェクトが印刷されている。一方、図７（ｂ）では、箔押しにおいて箔領域内で箔非付着領域が生じ、その後箔上オブジェクトが箔領域に印刷される。ここで、白色で示される部分は、箔が付着した部分であって、箔上オブジェクトが印刷されない部分を表し、薄いグレーで示される部分は、箔が付着した部分であって、箔上オブジェクトが印刷された部分を表す。また、黒色で示される部分は、箔が付着していない部分（箔非付着領域）であって、箔上オブジェクトが印刷されない部分を表し、濃いグレーで示される部分は、箔非付着領域であって、箔上オブジェクトが印刷された部分を表す。
【００８７】
本実施の形態では、箔押し用オブジェクトの印刷にはＫ版が使用されるので、箔非付着領域が生じると、図７（ａ）の場合と比べて箔上オブジェクトの色の明度が低下する。
【００８８】
そこで、箔上オブジェクト印刷装置は、箔上オブジェクトの印刷前に、箔領域の面積に対する箔非付着領域の面積の割合と、箔領域内の箔非付着領域の色（例えば、箔押し用トナーの色、本実施の形態ではＫ色）と、当該箔領域において使用された箔の色と、箔押し後に箔領域に印刷されるべき箔上オブジェクトの色データに基づいて、箔非付着領域による箔上オブジェクトの色への影響度（本実施の形態では、箔非付着領域による箔上オブジェクトの明度の変化）を算出する（ステップＳ００８）。例えば、ステップＳ００８で算出される影響度として、箔上オブジェクト印刷装置は、箔上オブジェクトが箔領域に印刷されるときに、箔非付着領域が発生しない場合と比較して、箔上オブジェクトの色の明度が５％低下すると判断すると、上記影響度を５％と算出する。
【００８９】
そして、ステップＳ００８において算出された影響度が所定の閾値（例えば、明度の場合については、３％）未満であると判断された場合には（ステップＳ００８；Ｎｏ）、本処理はステップＳ０１０へ進む。
【００９０】
一方、算出された影響度が所定の閾値以上であると判断された場合には（ステップＳ００８；Ｙｅｓ）、箔上オブジェクト印刷装置は、この影響度に基づいて箔上オブジェクトの色データを調整する（ステップＳ００９）。
【００９１】
例えば、箔上オブジェクト印刷装置は、上記のように箔上オブジェクトの色の明度が５％低下すると判断すると、印刷ジョブ等で設定された箔上オブジェクトの色データからＫ成分を削減するなどして、箔上オブジェクトの色の明度を５％上昇させるように当該箔上オブジェクトの色データを調整する。
【００９２】
そして、箔上オブジェクト印刷装置は、箔上オブジェクトの色データに基づいて、箔領域に箔上オブジェクトを印刷し（ステップＳ０１０）、その後本処理を終了させる。
【００９３】
上記の箔上オブジェクトの色データの調整方法によれば、箔押しにおいて箔領域に箔非付着領域が生じたとしても、この箔非付着領域による箔上オブジェクトへの影響をなくすように当該箔上オブジェクトの色データが調整される。これにより、ユーザ所望の箔上オブジェクトの色を再現することができる。
【００９４】
次に、箔領域が用紙に複数存在する場合における箔上オブジェクトの色データの調整方法および箔押し後の用紙をヤレとして認識する方法について説明する。
【００９５】
図８、図９および図１０は、印刷システム５において、箔領域に箔上オブジェクトを印刷する方法および箔押し後の用紙をヤレとして認識する方法を示すフローチャートである。
【００９６】
まず、箔押し用オブジェクト印刷装置は、印刷システム５がクライアントＰＣ等から印刷ジョブを受信すると、当該印刷ジョブに含まれる箔押し用オブジェクトデータにラスタライズ処理を行い、ラスタライズ処理によって作成されたページデータから、印刷されるべき箔押し用オブジェクトを特定する（図８のステップＳ１０１）。
【００９７】
そして、箔押し用オブジェクト印刷装置は、ステップＳ１０１で特定された箔押し用オブジェクトを用紙に印刷する（ステップＳ１０２）。
【００９８】
箔押し機５０は、箔押し用オブジェクト印刷装置によって箔押し用オブジェクトが印刷された部分（箔領域）に箔押しを行う（ステップＳ１０３）。
【００９９】
画像読取装置６０は、箔押しが行われた用紙を光学的に読み取ることによって取得された画像データから、箔領域内の箔非付着領域を認識する（ステップＳ１０４）。
【０１００】
また、画像読取装置６０は、印刷ジョブあるいは用紙を読み取った結果に基づいて、箔領域が用紙に複数存在するか否かを判断する（ステップＳ１０５）。箔領域が用紙に１つしか存在しないと判断されると（ステップＳ１０５；Ｎｏ）、本処理はステップＳ１２０（図１０参照）へ進む。
【０１０１】
一方、画像読取装置６０は、箔領域が用紙に複数存在すると判断すると（ステップＳ１０５；Ｙｅｓ）、各箔領域内の箔非付着領域の面積と、箔領域を分割することにより得られる各箔分割領域における箔非付着領域の面積を算出する。そして、画像読取装置６０は、各箔領域の面積と、当該箔領域における箔非付着領域の面積に基づいて、箔領域ごとに、箔領域の面積に対する当該箔領域内の箔非付着領域の面積の割合を算出するとともに、各箔分割領域における箔非付着領域の面積に基づいて、箔分割領域ごとに、箔分割領域の面積に対する当該箔分割領域内の箔非付着領域の面積の割合を算出する（図９のステップＳ１０６）。その後、画像読取装置６０は、これら算出された割合を含む箔非付着領域データを箔上オブジェクト印刷装置に送信する。
【０１０２】
そして、箔上オブジェクト印刷装置は、画像読取装置６０から受信した箔非付着領域データに基づいて、箔領域ごとに、すべての箔分割領域において、箔分割領域の面積に対する当該箔分割領域内の箔非付着領域の面積の割合が所定の閾値以下であるか否かを判断する（ステップＳ１０７）。
【０１０３】
箔上オブジェクト印刷装置は、上記割合が所定の閾値より大きい箔分割領域が存在すると判断した場合（ステップＳ１０７；Ｙｅｓ）、当該用紙をヤレとして認識する（ステップＳ１０８）。例えば、５×５画素の領域を有するある箔分割領域において、箔非付着領域の面積が当該箔分割領域の面積の１／３以上であった場合、箔上オブジェクト印刷装置は、その用紙をヤレと認識する。その後本処理を終了させる。
【０１０４】
一方、箔上オブジェクト印刷装置は、すべての箔分割領域において、箔分割領域の面積に対する当該箔分割領域内の箔非付着領域の面積の割合が所定の閾値以下であると判断した場合（ステップＳ１０７；Ｎｏ）、当該箔領域の面積に対する当該箔領域内の箔非付着領域の面積の割合を取得するとともに（ステップＳ１０９）、当該箔領域内の箔非付着領域の色データを取得する（ステップＳ１１０）。
【０１０５】
箔上オブジェクト印刷装置は、当該箔領域の面積に対する当該箔領域内の箔非付着領域の面積の割合と、当該箔領域内の箔非付着領域の色と、当該箔領域で使用された箔の色と、箔押し後に当該箔領域に印刷されるべき箔上オブジェクトの色データに基づいて、当該箔領域における箔非付着領域による箔上オブジェクトの色への影響度を算出する。そして、箔上オブジェクト印刷装置は、その算出された影響度が所定の閾値以上か否かを判定する。（ステップＳ１１１）。
【０１０６】
そして、ステップＳ１１１において算出された影響度が所定の閾値未満であると判断された場合には（ステップＳ１１１；Ｎｏ）、ステップＳ１０７へ戻り、次の箔領域についてステップＳ１０７〜Ｓ１１２の処理を行う。
【０１０７】
一方、箔上オブジェクト印刷装置は、算出された影響度が所定の閾値以上であると判断した場合（ステップＳ１１１；Ｙｅｓ）、この影響度に基づいて箔上オブジェクトの色データを調整する（ステップＳ１１２）。その後、ステップＳ１０７へ戻り、次の箔領域についてステップＳ１０７〜Ｓ１１２の処理を行う。
【０１０８】
箔上オブジェクト印刷装置は、すべての箔領域についてステップＳ１０７〜Ｓ１１２の処理が完了したら、箔上オブジェクトの色データに基づいて、箔領域に箔上オブジェクトを印刷し（ステップＳ１１３）、その後本処理を終了させる。
【０１０９】
一方、画像読取装置６０は、ステップＳ１０５において、箔領域が用紙に１つしか存在しないと判断すると（図８のステップＳ１０５；Ｎｏ）、用紙全体の箔非付着領域の面積と、各箔分割領域における箔非付着領域の面積を算出する。そして、画像読取装置６０は、箔領域の面積と、用紙全体の箔非付着領域の面積に基づいて、箔領域の面積に対する箔非付着領域の面積の割合を算出するとともに、各箔分割領域における箔非付着領域の面積に基づいて、箔分割領域ごとに、箔分割領域の面積に対する当該箔分割領域内の箔非付着領域の面積の割合を算出する（図１０のステップＳ１２０）。その後、画像読取装置６０は、これら算出された割合を含む箔非付着領域データを箔上オブジェクト印刷装置に送信する。
【０１１０】
そして、箔上オブジェクト印刷装置は、画像読取装置６０から受信した箔非付着領域データに基づいて、すべての箔分割領域において、箔分割領域の面積に対する当該箔分割領域内の箔非付着領域の面積の割合が所定の閾値以下であるか否かを判断する（ステップＳ１２１）。
【０１１１】
箔上オブジェクト印刷装置は、上記割合が所定の閾値より大きい箔分割領域が存在すると判断した場合（ステップＳ１２１；Ｙｅｓ）、当該用紙をヤレとして認識する（ステップＳ１２２）。
【０１１２】
一方、箔上オブジェクト印刷装置は、すべての箔分割領域において、箔分割領域の面積に対する当該箔分割領域内の箔非付着領域の面積の割合が所定の閾値以下であると判断した場合（ステップＳ１２１；Ｎｏ）、箔領域の面積に対する箔非付着領域の面積の割合を取得するとともに（ステップＳ１２３）、箔非付着領域の色データを取得する（ステップＳ１２４）。
【０１１３】
箔上オブジェクト印刷装置は、箔領域の面積に対する箔非付着領域の面積の割合と、箔領域内の箔非付着領域の色と、箔領域で使用された箔の色と、箔押し後に箔領域に印刷されるべき箔上オブジェクトの色データに基づいて、箔非付着領域による箔上オブジェクトの色への影響度を算出する。そして、箔上オブジェクト印刷装置は、その算出された影響度が所定の閾値以上か否かを判定する。（ステップＳ１２５）。
【０１１４】
そして、ステップＳ１２５において算出された影響度が所定の閾値未満であると判断された場合には（ステップＳ１２５；Ｎｏ）、本処理はステップＳ１２７へ進む。
【０１１５】
一方、箔上オブジェクト印刷装置は、算出された影響度が所定の閾値以上であると判断した場合（ステップＳ１２５；Ｙｅｓ）、この影響度に基づいて箔上オブジェクトの色データを調整する（ステップＳ１２６）。
【０１１６】
そして、箔上オブジェクト印刷装置は、箔上オブジェクトの色データに基づいて、箔領域に箔上オブジェクトを印刷し（ステップＳ１２７）、その後本処理を終了させる。
【０１１７】
上記の箔上オブジェクトの色データの調整方法および箔押し後の用紙をヤレとして認識する方法によれば、用紙内に箔領域が複数存在する場合には、箔領域ごとに、当該箔領域に印刷されるべき箔オブジェクトの色データを調整することができる。さらに、箔押しが用紙に行われたとき、箔非付着領域が狭い箇所に集中して発生した場合には、当該用紙をヤレとして認識することができる。
【０１１８】
次に、箔領域の周辺に印刷されるべき通常オブジェクトが存在する場合における箔上オブジェクトの色データおよび通常オブジェクトの色データの調整方法について説明する。
【０１１９】
図１１および図１２は、印刷システム５において、箔上オブジェクトおよび通常オブジェクトを印刷する方法を示すフローチャートである。
【０１２０】
まず、箔押し用オブジェクト印刷装置は、印刷システム５がクライアントＰＣ等から印刷ジョブを受信すると、当該印刷ジョブに含まれる箔押し用オブジェクトデータにラスタライズ処理を行い、ラスタライズ処理によって作成されたページデータから、印刷されるべき箔押し用オブジェクトを特定する（図１１のステップＳ２０１）。
【０１２１】
そして、箔押し用オブジェクト印刷装置は、ステップＳ２０１で特定された箔押し用オブジェクトを用紙に印刷する（ステップＳ２０２）。
【０１２２】
箔押し機５０は、箔押し用オブジェクト印刷装置によって箔押し用オブジェクトが印刷された部分（箔領域）に箔押しを行う（ステップＳ２０３）。
【０１２３】
画像読取装置６０は、箔押しが行われた用紙を光学的に読み取ることによって取得された画像データから、箔領域内の箔非付着領域を認識する（ステップＳ２０４）。そして、画像読取装置６０は、認識された箔非付着領域の面積を算出する。
【０１２４】
さらに、画像読取装置６０は、箔領域の面積と、算出された非付着領域の面積とに基づいて、箔領域の面積に対する箔非付着領域の面積の割合を算出し（ステップＳ２０５）、算出した割合を示すデータを含む箔非付着領域データを作成する。その後、画像読取装置６０は、箔上オブジェクト印刷装置に送信する（ステップＳ２０６）。
【０１２５】
箔上オブジェクト印刷装置は、箔領域内の箔非付着領域の色データを取得する（ステップＳ２０７）。さらに、箔上オブジェクト印刷装置は、画像読取装置６０から受信した箔非付着領域データに含まれる上記割合を示すデータと、箔領域内の箔非付着領域の色と、箔の色と、箔押し後に箔領域に印刷されるべき箔上オブジェクトの色データに基づいて、箔非付着領域による箔上オブジェクトの色への影響度を算出する。そして、箔上オブジェクト印刷装置は、その算出された影響度が所定の閾値以上か否かを判定する。（図１２のステップＳ２０８）。
【０１２６】
そして、ステップＳ２０８において算出された影響度が所定の閾値未満であると判断された場合には（ステップＳ２０８；Ｎｏ）、本処理はステップＳ２１６へ進む。
【０１２７】
一方、箔上オブジェクト印刷装置は、算出された影響度が所定の閾値以上であると判断した場合（ステップＳ２０８；Ｙｅｓ）、印刷ジョブ等に基づいて、箔領域の周辺に印刷されるべき通常オブジェクトが存在するか否かを判定する（ステップＳ２０９）。
【０１２８】
箔領域の周辺に印刷されるべき通常オブジェクトが存在しないと判定された場合には（ステップＳ２０９；Ｎｏ）、本処理はステップＳ２１１へ進む。
【０１２９】
一方、箔上オブジェクト印刷装置は、箔領域の周辺に印刷されるべき通常オブジェクトが存在すると判定された場合（ステップＳ２０９；Ｙｅｓ）、当該箔領域の面積に対する当該箔領域内の箔非付着領域の面積の割合と、当該箔領域内の箔非付着領域の色と、当該箔領域で使用された箔の色と、箔押し後に当該箔領域に印刷されるべき箔上オブジェクトの色データと、当該箔領域の周辺に印刷されるべき通常オブジェクトに基づいて、箔非付着領域および通常オブジェクトによる箔上オブジェクトの色への影響度を算出する（ステップＳ２１０）。
【０１３０】
例えば、箔領域の周辺に印刷されるべき通常オブジェクトの色の明度が高いと、当該箔領域に印刷されるべき箔上オブジェクトの色の明度が相対的に低下する。また、箔領域の周辺に印刷されるべき通常オブジェクトの形状（通常オブジェクトが、箔領域の一部の境界のみと接するように印刷されるか、あるいは、箔領域のすべての境界と接するように印刷されるか）によっても、箔上オブジェクトの色の明度等に影響を及ぼすことがある。そこで、箔上オブジェクト印刷装置は、特に、箔領域の周辺に印刷されるべき通常オブジェクト（色データや形状等）に基づいて、箔非付着領域および通常オブジェクトによる箔上オブジェクトの色への影響度を算出する。
【０１３１】
具体的には、箔非付着領域および通常オブジェクトによる箔上オブジェクトの色への影響度は以下のように算出される。例えば、ステップＳ２０８において算出された影響度（箔非付着領域による箔上オブジェクトの色の明度の低下）が５％であって、当該箔領域のすべての境界と接するように印刷されるべき通常オブジェクトの色の明度が印刷ジョブ等で当初設定された箔上オブジェクトの色の明度より１０％高い場合には、箔非付着領域および通常オブジェクトによる箔上オブジェクトの色への影響度は１５％と算出される。一方、ステップＳ２０８において算出された影響度が５％であって、当該箔領域のすべての境界と接するように印刷されるべき通常オブジェクトの色の明度が印刷ジョブ等で当初設定された箔上オブジェクトの色の明度より５％低い場合には、箔非付着領域および通常オブジェクトによる箔上オブジェクトの色への影響度は０％と算出される。
【０１３２】
そして、ステップＳ２１０において算出された影響度が所定の閾値未満である判断された場合には（ステップＳ２１０；Ｎｏ）、本処理はステップＳ２１１へ進む。この閾値は、例えば、ステップＳ２０８において算出された影響度としてもよい。箔上オブジェクト印刷装置は、ステップＳ２０８で算出された影響度に基づいて箔上オブジェクトの色データのみを調整する（ステップＳ２１１）。
【０１３３】
一方、ステップＳ２１０において算出された影響度が所定の閾値以上であると判断された場合（ステップＳ２１０；Ｙｅｓ）、当該箔領域に印刷されるべき箔上オブジェクトの見え方と当該箔領域の周辺に印刷されるべき通常オブジェクトの見え方のバランスをとるために（ステップＳ２１０で算出された影響度を所定値まで小さくするように）、当該通常オブジェクトの色データを調整する必要がある。しかしながら、通常オブジェクトの色データのみを調整すると、当該通常オブジェクトの色がユーザ所望の色から乖離する可能性がある。
【０１３４】
そこで、箔上オブジェクト印刷装置は、まず、ステップＳ２１０で算出された影響度に基づいて、上記見え方のバランスをとるのに必要である当該通常オブジェクトの色データの補正量を算出し、その補正量が所定値以下か否かを判断する（ステップＳ２１２）。例えば、印刷ジョブ等で当初設定された通常オブジェクトの色の明度を基準として、補正後の通常オブジェクトの色の明度の変化が１０％以内である場合には、通常オブジェクトの色データの補正量が所定値以下であると判断される。
【０１３５】
箔上オブジェクト印刷装置は、上記補正量が所定値以下であると判断した場合（ステップＳ２１２；Ｙｅｓ）、上記補正量で当該通常オブジェクトの色データのみを調整する（ステップＳ２１３）。
【０１３６】
一方、箔上オブジェクト印刷装置は、上記補正量が所定値より大きいと判断した場合（ステップＳ２１２；Ｎｏ）、当該通常オブジェクトの色データを調整し（ステップＳ２１４）、さらに当該箔上オブジェクトの色データを調整する（ステップＳ２１５）。例えば、箔上オブジェクト印刷装置は、通常オブジェクトの色データの調整量をステップＳ２１２で算出された補正量の２分の１とし、箔上オブジェクトの色データの調整量を上記補正量の２分の１に設定する。これにより、箔上オブジェクトの色データおよび通常オブジェクトの色データのうち一方を調整しすぎないように、箔非付着領域および通常オブジェクトによる箔上オブジェクトの色への影響度を低くする。
【０１３７】
その後、箔上オブジェクト印刷装置は、通常オブジェクトの画像データおよび箔上オブジェクトの画像データに基づいて、ステップＳ２０３で箔押しされた用紙に通常オブジェクトおよび箔上オブジェクトを印刷し（ステップＳ２１６）、本処理を終了させる。
【０１３８】
上記の箔上オブジェクトの色データおよび通常オブジェクトの色データの調整方法によれば、箔領域の周辺に印刷されるべき通常オブジェクトが存在する場合であっても、必要に応じて当該通常オブジェクトの色データを調整することにより、当該箔領域内の箔非付着領域および当該箔領域の周辺に印刷されるべき通常オブジェクトによる箔上オブジェクトの色への影響度を低くすることができる。
【０１３９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４０】
本実施の形態に係る印刷システム５では、画像読取装置６０は、箔領域の面積に対する箔非付着領域の面積の割合を算出し、算出した割合を示すデータを含む箔非付着領域データを箔上オブジェクト印刷装置に送信した。しかしながら、画像読取装置６０は、箔領域内の箔非付着領域の面積を算出し、算出した箔非付着領域の面積を示すデータを含む箔非付着領域データを箔上オブジェクト印刷装置に送信してもよい。この場合、箔上オブジェクト印刷装置は、箔領域の面積と、画像読取装置６０によって算出された箔非付着領域の面積に基づいて、箔領域の面積に対する箔非付着領域の面積の割合を算出してもよい。
【０１４１】
あるいは、画像読取装置６０は、箔が施された用紙を読み取ることによって取得された画像データを、箔非付着領域に関する箔非付着領域データとして箔上オブジェクト印刷装置に送信してもよい。この場合、箔上オブジェクト印刷装置は、この画像データを受信し、当該画像データを解析することによって箔非付着領域の面積を算出し、箔領域の面積に対する箔非付着領域の面積の割合を算出してもよい。
【０１４２】
また、図８〜図１０に示された処理と、図１１および図１２に示された処理を適宜組み合わせてもよい。具体的には、図８〜図１０の処理において、図９および図１０のステップＳ１１２およびＳ１２６の代わりに、図１２のステップＳ２０９〜Ｓ２１５を組み込んでもよい。
【０１４３】
また、図８〜図１０の処理では、１の箔分割領域において、当該箔分割領域の面積に対する当該箔分割領域内の箔非付着領域の面積の割合が所定値以上であった場合に、処理対象の用紙をヤレとして認識した。しかしながら、２以上の所定数の箔分割領域において、箔分割領域の面積に対する当該箔分割領域内の箔非付着領域の面積の割合が所定値以上であった場合に、処理対象の用紙をヤレとして認識してもよい。
【０１４４】
また、本実施の形態では、箔押し用オブジェクトや通常オブジェクトを用紙に印刷しているが、印刷されるべき記録媒体として、例えば、布、プラスチック、木材など、印刷可能なものであってもよい。
【０１４５】
また、本発明は、箔上オブジェクト色調整装置として情報処理装置を機能させるプログラムとされてもよい。
【符号の説明】
【０１４６】
５（５Ａ、５Ｂ、５Ｃ）…印刷システム
１０（１０Ａ、１０Ｂ、１０Ｃ、１０Ｄ、１０Ｅ）…画像形成装置
１１…ＣＰＵ
１２…ＲＯＭ
１３…ＲＡＭ
１４…不揮発メモリ
１５…ハードディスク装置
１６…印刷部
１７…通信部
１８…操作パネル
２１…表示部
２２…操作部
３１…箔非付着領域割合算出部
３２…第１影響度算出部
３３…箔上オブジェクト色調整部
３４…通常オブジェクト判定部
３５…第２影響度算出部
３６…通常オブジェクト色調整部
５０（５０Ａ、５０Ｂ、５０Ｃ）…箔押し機
６０（６０Ａ、６０Ｂ、６０Ｃ）…画像読取装置
６１…ＣＰＵ
６２…ＲＯＭ
６３…ＲＡＭ
６４…不揮発メモリ
６５…ハードディスク装置
６６…読取部
６７…通信部
６８…操作パネル
７１…表示部
７２…操作部
８１…箔非付着領域面積算出部
８２…箔非付着領域割合算出部
８３…箔非付着領域データ作成部
【図１】
2019003106.tif 000003
【図２】
2019003106.tif 000004
【図３】
2019003106.tif 000005
【図４】
2019003106.tif 000006
【図５】
2019003106.tif 000007
【図６】
2019003106.tif 000008
【図７】
2019003106.tif 000009
【図８】
2019003106.tif 000010
【図９】
2019003106.tif 000011
【図１０】
2019003106.tif 000012
【図１１】
2019003106.tif 000013
【図１２】
2019003106.tif 000014